(57)【要約】【課題】リフロー半田付けが終了したワークを、加熱炉雰囲気の低酸素濃度を安定に維持して冷却できる外部冷却室およびリフロー半田付け設備を提供する。【解決手段】本発明の外部冷却室は、リフロー半田付け装置の加熱炉の出口側に配置され、ワーク搬送手段、ワークを冷却するファンおよび吸引エアカーテンノズルを備えている。吸引エアカーテンノズルは、ワーク入口側で大気（空気）をエアカーテン状に吸引することにより、外部冷却室の大気が上流方向に流出することを防止して、加熱炉の雰囲気に影響しないようにし、加熱炉雰囲気の低酸素濃度を安定して維持できるようにしている。【選択図】図１
2013251332.tif 000002
【特許請求の範囲】
【請求項１】
リフロー半田付け装置の加熱炉のワーク出口側に配置される外部冷却室であって、ワークを搬送する手段とワークを冷却するファンとワーク入口側に設けられた吸引エアカーテンノズルとを備えたことを特徴とする外部冷却室。
【請求項２】
前記吸引エアカーテンノズルが昇降可能に設けられたことを特徴とする請求項１に記載された外部冷却室。
【請求項３】
前記吸引エアカーテンノズルの吸引口がスリット状であることを特徴とする請求項１または２に記載された外部冷却室。
【請求項４】
前記吸引エアカーテンノズルの吸引口が複数個の吸入口が並列したものからなることを特徴とする請求項１または２に記載された外部冷却室。
【請求項５】
リフロー半田付け装置と該リフロー半田付け装置の加熱炉の出口側に配置された請求項１〜４のいずれかの請求項に記載された前記外部冷却室とからなることを特徴とするリフロー半田付け設備。
【発明の詳細な説明】
【技術分野】
【０００１】
本発明は、プリント基板等の基板に電子部品等の部品を半田付けするリフロー半田付け装置に併設される外部冷却室と該冷却室を備えるリフロー半田付け設備に関するものである。
【背景技術】
【０００２】
電子機器の各種回路が構成されている基板、例えばプリント基板に対して、各種回路を構成するための電子機器の実装を行う技術がある。実装されたチップ部品等の電子部品は、プリント基板の配線部に対して半田付けにより電気的に接続を行うが、このような半田付けの技術として、リフロー半田付けが通常行われている。リフロー半田付けは、プリント基板の所定の部位に対してクリーム半田等を塗布した後に、これらのプリント基板、電子部品等からなる半田付け対象物のワークを加熱炉（リフロー炉）内に搬送し、プリント基板の半田付け部を加熱して、プリント基板と電子部品を半田付けする技術である。
【０００３】
このようなリフロー半田付けを実施するリフロー半田付け装置は、プリント基板を搬送するコンベアが取付けられたリフロー半田付け装置本体の加熱炉内に、コンベアの搬送方向に並べられた予熱ゾーン、中間加熱ゾーン、リフロー加熱ゾーンおよび冷却ゾーンを有し、これら予熱、中間加熱、リフロー加熱の各ゾーンに設けられた加熱手段でプリント基板及びその上に搭載された電子部品全体（ワーク）を加熱するものである（特許文献１）。
なお、中間加熱ゾーンや冷却ゾーンは特に設けないこともある。
【０００４】
予熱ゾーンはワークを急速に加熱する昇温ゾーン、中間加熱ゾーンは、ワークの各部の温度を均一にして、所定の予熱温度にまで加熱するゾーン、リフロー加熱ゾーンは、半田溶融温度を超える温度までワークを加熱してワークの基板と電子部品等を半田付けする加熱ゾーン、冷却ゾーンは半田付け後のワークを冷却するゾーンである。
【０００５】
ワークを加熱する手段としては、熱風による対流加熱するものと、パネルヒータ等の赤外線による輻射加熱するもの、さらにはそれらの加熱を併用するものとが知られている。
また、冷却ゾーンでは、リフロー加熱ゾーンから搬送されるワークをプロペラファンなどの送風機により送風して冷却している（特許文献１参照）。また、これに、クーラーなどの冷房機器を冷却ゾーンに設けて冷却能力を高めることもある。
【０００６】
リフロー半田付けは大気雰囲気下、もしくは低酸素濃度の雰囲気下で行われるが、特に、低酸素濃度の雰囲気下においては、この雰囲気を維持するために不活性ガス、一般には窒素ガスが炉内に供給されている。
低酸素濃度の雰囲気下で半田付けを行う場合、炉内の酸素濃度は、クリーム半田に含まれるフラックスの種類や量によっても異なるが、１０００ｐｐｍ以下程度の範囲にすることが求められていた。そして最近では１００ｐｐｍ以下の低酸素濃度の雰囲気下で半田付けすることが求められることもある。
【０００７】
近年、環境問題がクローズアップされ、半田付けに使用されるクリーム半田の半田として、従来のＳｎ−Ｐｂから錫・銀・銅系半田などの鉛を含有しない半田が使用されるようになってきた。しかし、これらの鉛フリーの半田の多くは、従来の鉛入り半田に比べて融点が高い。
そして、更に近年、より高い融点の錫・金半田などが出てきた事に伴い、リフロー温度も従来よりも高く設定される半田付けが行われるようになってきた。
【０００８】
このように、半田の融解温度が高温化してきたことにともない、リフロー半田付け装置の加熱炉の冷却ゾーンから排出される半田付け終了後のワーク（基板、電子部品等）温度も高温化している。特に冷却ゾーンを広くとることができない小型のリフロー半田付け装置では、十分な冷却をすることができないため、ワークの高温化が顕著に現れる。
ワークが高温の状態で長時間さらされると、接合部の半田が酸化して劣化し、外観が悪くなるばかりでなく、場合によっては亀裂が入り、半田接合に不具合が生じることになる。
また、加熱炉から搬出されたワークが高温の状態であり続けると、収納などの作業ができず、収納までの待機スペースも必要となり、生産現場では大きな支障を来していた。
【０００９】
このため、加熱炉内の冷却ゾーンを長大化して、冷却能力を高めることが考えられるが、加熱炉の大型化を招き、それにともなって加熱炉の改造コストがかさむことにもなる。また、加熱炉にはＪＥＤＥＣ等の規格があり、加熱炉の大型化はできるだけ避けなければならない。
そこで、従来ではリフロー半田付け装置の加熱炉の下流（ワーク出口側）に、別途、冷却手段を備える冷却ゾーンを設けて、リフロー半田付け装置の加熱炉から搬出されたワークを冷却することが行われている。
【００１０】
この別途設けた冷却ゾーンの冷却手段として、雰囲気の温度を下げるラジエーターなどの手段を使用できるが、コストがかかるうえメンテナンスが容易でないでない。
このようなことから、エア（空気）を送風してワークを冷却することが低コストで行えるため、別途設けた冷却ゾーンに冷却手段としてファンを取り付けて、ファンの送風によりワークを冷却することがしばしば行われている。
【００１１】
しかし、この場合でも、別途設けた冷却ゾーン内のファンの送風により乱流が発生し、この乱流がリフロー加熱装置における加熱炉のワーク出口側から加熱炉内に回り込み、加熱炉の冷却ゾーンやリフロー加熱ゾーンの雰囲気を乱して、酸素濃度が上昇することが避けられなかった。
【００１２】
このように、加熱炉から搬出されたワークをファン等の送風で冷却を強化すると、加熱炉内の酸素濃度が変動して、電子部品などの半田付けに好適な低酸素濃度の雰囲気を安定して維持することができなかった。
そこで、加熱炉内への窒素ガスの供給量を増やし、加熱炉内の酸素濃度を低く保ち安定させることが考えられるが、増大した窒素ガスがリフロー加熱ゾーンの熱を冷却ゾーンにまで運んでしまうために、加熱炉から搬出されるワークの温度は逆に上昇する結果を招いていた。また、窒素ガスをより多く消費するためランニングコストの観点からも好ましくない。
【先行技術文献】
【特許文献】
【００１３】
【特許文献１】特開２００３−１３３７１８号公報
【発明の概要】
【発明が解決しようとする課題】
【００１４】
以上述べたとおり、従来のリフロー半田付け設備では、リフロー半田付け装置の加熱炉の雰囲気を安定して低酸素濃度に維持することと、加熱炉から搬出されるワークを短時間で十分に冷却することとが両立できなかった。
本発明の目的は、リフロー半田付け装置の加熱炉の雰囲気を低酸素濃度に安定して維持しつつ、加熱炉から搬出されるワークを短時間で十分に冷却することを可能にする外部冷却室とこの冷却室を備えるリフロー半田付け設備を提供することにある。
【課題を解決するための手段】
【００１５】
上記の課題を解決するために、リフロー半田付け装置の加熱炉のワーク出口側に、吸引エアカーテンノズルを備える外部冷却室を配置した。
本発明の要旨は以下の通りである。  
［１］リフロー半田付け装置の加熱炉のワーク出口側に配置される外部冷却室であって
、ワークを搬送する手段とワークを冷却するファンとワーク入口側に設けられた
吸引エアカーテンノズルとを備えたことを特徴とする外部冷却室。
［２］前記吸引エアカーテンノズルが昇降可能に設けられたことを特徴とする［１］に
記載された外部冷却室。
［３］前記吸引エアカーテンノズルの吸引口がスリット状であることを特徴とする［１
］または［２］に記載された外部冷却室。
［４］前記吸引エアカーテンノズルの吸引口が複数個の吸入口が並列したものからなる
ことを特徴とする［１］または［２］に記載された外部冷却室。
［５］リフロー半田付け装置と該リフロー半田付け装置の加熱炉の出口側に配置され
た［１］〜［４］のいずれかに記載された前記外部冷却室とからなることを特徴
とするリフロー半田付け設備。
【発明の効果】
【００１６】
リフロー半田付け装置の加熱炉から搬出されたワークを、吸引エアカーテンノズルを設けた外部冷却室で冷却することにより、ワークを短時間で十分に冷却することができるとともに、リフロー半田付け装置の加熱炉内に該炉外から大気が回り込むことを防いで、リフロー半田付け装置の加熱炉内の酸素濃度を安定して低く保つことができる。このことにより、リフロー半田付け製品の品質を維持しつつ、生産性を上げることが可能となる。
【図面の簡単な説明】
【００１７】
【図１】本発明のリフロー半田付け装置および外部冷却室の縦断面図を概略的に示す。
【図２】ワーク（基板）の温度測定ポイントを示す。
【図３】吸引エアカーテンノズルの吸引口の異なる実施形態（ａ）および（ｂ）を示す。
【図４】設備１、設定Ａでのワークの温度と酸素濃度の推移を示す。
【図５】設備２、設定Ａでのワークの温度と酸素濃度の推移を示す。
【図６】設備３、設定Ａでのワークの温度と酸素濃度の推移を示す。
【図７】設備１、設定Ｂでのワークの温度と酸素濃度の推移を示す。
【図８】設備２、設定Ｂでのワークの温度と酸素濃度の推移を示す。
【図９】設備３、設定Ｂでのワークの温度と酸素濃度の推移を示す。
【発明を実施するための形態】
【００１８】
以下に本発明の実施形態を図面に基づいて説明する。
図１は、リフロー半田付け装置と本発明の外部冷却室とを備えるリフロー半田付け設備の縦断面図を示す。
図１において、１は半田付け対象のワーク（プリント基板、電子部品等）、２はワークを搬送する搬送コンベア、３はリフロー半田付け装置の加熱炉であり、予熱ゾーン３１、中間加熱ゾーン３２、リフロー加熱ゾーン３３および冷却ゾーン３４からなる。ゾーン３１〜３３には、ワークを上下から加熱する上部および下部のヒーター４及びファン５が設けられている。冷却ゾーン３４には、ワークに送風する上下のファン５が設けられている。
図１の加熱炉では、４ゾーンから構成されるものが示されているが、これに限らず、中間加熱ゾーンを備えないものや、単一ゾーンからなる加熱炉でもよい。
また、上記の４ゾーン３１〜３３のいずれかが複数のゾーンからなるようにすることもできる（特許文献１）。
【００１９】
６は窒素ガス供給源である。
窒素ガス供給源６からは、低酸素雰囲気でリフロー半田付けを行うために、加熱炉に窒素ガスを供給している。窒素以外の他の不活性なガスを供給してもよい。
図１では、窒素ガスは、リフロー加熱ゾーン３３および冷却ゾーン３４の上部と下部とから供給しているが、リフロー加熱ゾーンからのみ供給することや該ゾーンの上部あるいは下部からのみ供給することもできる。また、窒素ガスの供給は、リフロー加熱ゾーンや冷却ゾーン以外のゾーンからも行うことができる。
【００２０】
７は、リフロー半田付け装置の加熱炉のワーク出口側に近接配置される外部冷却室であり、ワークを搬送する搬送コンベア８、ワークの搬送部上面にファン（送風機）９および吸引エアカーテンノズル１０が備えられている。
【００２１】
外部冷却室７は、前面壁、後面壁およびその両者間を繋ぐ側壁（天井面および底面を含む）からなり、搬送コンベア８の搬送路を包囲し、ワークが通過できる開口部の入口と出口がそれぞれ前面壁、後面壁に設けけられている。したがって、この入口と出口の幅は搬送されるワークの幅よりも大きい寸法を有している。
外部冷却室の前面壁、後面壁および側壁は鋼板製であるが、これに限るものではない。
ワークを搬送する搬送コンベア８は、リフロー半田付け装置の搬送コンベア２と同期制御をすることができ、リフロー半田付け装置の加熱炉内と外部冷却室内とを同じ速度でワークが搬送できるようになっている。
【００２２】
ファン９は、送風してワークを冷却する。図１では、搬送コンベア８の上方に１台設けているが、その下方にも設けて下面からもワークを冷却するようにしてもよい。また、それぞれに複数台のファンを設けてもよい。
【００２３】
吸引エアカーテンノズル１０は、外部冷却室内のワーク入口付近に吸引口を下向きにして搬送コンベア８の上部に設けられ、該入口近傍において、吸引される気体の流れがカーテン状になるようにして吸引するものである。吸引は、ブロア１０１により吸引エアカーテンノズル１０に接続された配管１０２を介して行う。
【００２４】
吸引エアカーテンノズル１０は、外部冷却室７に固定して設けてもよいが、昇降可能に設けて、吸引口の高さ位置を調整できるようにすることもできる。昇降可能にする手段としては、スライド式などの周知の手段を外部冷却室に適宜組み込んで実施することができる。
吸引エアカーテンノズル１０は、例えばステンレス鋼材で製造することができ、耐熱性のある材料で製造することが好ましい。
【００２５】
外部冷却室内のワーク入口近傍において、吸引される気体の流れがカーテン状になるように吸引するためには、吸引エアカーテンノズル１０の吸引口を、例えば、図３（ａ）に示すように、ワークの搬送方向に対して垂直かつ水平方向に伸びるスリット状の開口部にするか、図３（ｂ）に示すように、小孔の吸引口を有するノズルを複数個並べて形成してもよいが、これらの形態に限るものではない。
【００２６】
また、外部冷却室のワーク入口から大気（空気）の流出を十分に抑えるためには、カーテン状の流れは、その幅が外部冷却室のワーク入口の幅以上であることが効果的である。したがって、吸引エアカーテンノズルの吸引口の幅は、外部冷却室のワーク入口の幅以上の寸法を有していることが望ましい。
ファン９の回転量や吸引エアカーテンノズル１０の吸引量はそれぞれ調整可能になっている。
【００２７】
本発明の外部冷却室の吸引エアカーテンノズルの吸引作用は以下のとおりである。
外部冷却室７内では、ファン８の送風によりワーク１を冷却している。このとき、ファンの送風により乱流が発生するが、吸引エアカーテンノズル１０が外部冷却室のワーク入口に近接して設けられているため、吸引エアカーテンノズルの吸引により吸引される気体の流れがカーテン状になり、該入口から外部冷却室内の気体（空気）の乱流が流出することを防止することができる。
このときの吸引エアカーテンノズル１０の吸引量は、予め実験等により容易に求めることができる。
【００２８】
このように、外部冷却室内のワーク入口側に吸引エアカーテンノズルを設けることにより、外部冷却室のワーク入口側から上流方向に、気体（空気）の乱流が流出することが防止される。そして、このことにより、大気が加熱炉内に侵入して加熱炉内の雰囲気を乱すことが抑制され、加熱炉雰囲気の酸素濃度が変動して上昇することを防止することができ、酸素濃度を所定の低い状態に安定して維持することができるとともに、加熱炉から搬出されたワークを短時間で十分に冷却することができる。
【００２９】
上記の実施形態では、低酸素濃度の雰囲気でのリフロー半田付けが行われているが、本発明の外部冷却室は、ワークの冷却を行うことができるから、低酸素雰囲気でない雰囲気でリフロー半田付けを行う場合でも、リフロー半田付け装置の加熱炉の下流に配置してもよいことはいうまでもない。
また、上記の実施形態では、リフロー半田付け装置の加熱炉３は冷却ゾーン３４を備えているが、冷却ゾーンのない加熱炉でリフロー半田付けを行い、ワークの冷却を外部冷却室７でのみで行うようにすることもできる。  
【実施例】
【００３０】
以下に記載するリフロー半田付け設備を使用して、以下の実施例を行い、本発明の効果を確認した。
〔設備１〕
リフロー半田付け装置の加熱炉出口側にワークの搬送装置が併設されているリフロー半田付け設備。
設備１では、加熱炉から搬出されたワークは大気中で自然冷却（放冷）されることになる。
〔設備２〕
リフロー半田付け装置の加熱炉出口側に、ワークを搬送する搬送コンベアとワークを冷却するファンとを備え、吸引エアカーテンノズルを備えない外部冷却室を配置したリフロー半田付け設備。
〔設備３〕
リフロー半田付け装置の加熱炉出口側に、ワークを搬送する搬送コンベアとワークを冷却するファンと吸引エアカーテンノズルとを備えた外部冷却室を併設したリフロー半田付け設備。
設備３において、吸引エアカーテンノズルは、外部冷却室内においてワーク入口に近接して配置される。
【００３１】
設備１、２が従来例、比較例に相当するものであり、設備３が本発明例の関わるものである。
設備１〜３に使用したリフロー半田付け装置の加熱炉は、７ゾーンからなり全長が１５９０ｍｍ、高さ１３３０ｍｍ、奥行き９６５ｍｍ（Ｌ１５９０×Ｈ１３３０×Ｗ９６５）である。
ここで、第１ゾーンは予熱ゾーンに、第２〜４ゾーンは中間加熱ゾーンに、第５、６ゾーンはリフロー加熱ゾーンに、そして第７ゾーンは冷却ゾーンに、それぞれ対応している。
加熱炉内への窒素ガスの供給は、第５ゾーン下部、第６ゾーンの上部および下部、第７ゾーンの上部および下部より行った。
【００３２】
設備２、３で加熱炉のワーク出口側に配置される外部冷却室の寸法は、Ｌ４００×Ｈ１３３０×Ｗ９６５である。
また、設備２ではワークを搬送する搬送装置および１台のファンを備えている。
これに対し、設備３では、ワークを搬送する搬送装置、１台のファンおよび吸引エアカーテンノズルを備えている。そして、吸引エアノズルの吸引口はスリット型で、吸引口の幅寸法は２５０（ｍｍ）である。
設備２、３における外部冷却装置は、本実施例では、加熱炉との間隔が１０ｍｍ程度の間隔をおいて加熱炉の下流（出口側）に近接配置されている。
外部冷却室が備える搬送コンベア８は、加熱炉３の搬送コンベア２と同期制御をしてワークを搬送する。
ワークとして、１６０×１６０×ｔ１．０のステンレス基板（図２参照）を使用した。
【００３３】
加熱炉の各ゾーンの加熱温度は、設定Ａと設定Ｂの２つの場合について設定した。
設定Ａは、一般的な鉛フリー半田を使用した場合を想定した温度設定であり、各ゾーンの設定温度を表１に示した。リフロー加熱ゾーンに相当する第５、６ゾーンは２６０℃に設定されている。
設定Ｂは、各ゾーンの設定温度が設定Ａよりも高い温度に設定した場合であり、各ゾーンの設定温度を表２に示した。第１〜６ゾーンはいずれも３５０℃に設定されている。
【００３４】
【表１】
2013251332.tif 000003
【００３５】
【表２】
2013251332.tif 000004
【００３６】
ワークの搬送速度を０．３ｍ／ｍｉｎ（５ｍｍ／ｓｅｃ）として、設備１〜３のそれぞれにワークを搬送して、ワークの温度推移と加熱炉の第６ゾーン（リフロー加熱ゾーン）での酸素濃度の推移を測定した。
加熱炉への窒素ガス流量は、設備１〜３で同量とし、設定Ａでは２５０Ｌ／ｍｉｎ、設定Ｂでは１７０Ｌ／ｍｉｎである。
外部冷却室のファンの出力は設備２、３で同じである。
【００３７】
設備１では、加熱炉のゾーン１の入口に搬入されたときから経過した時間（ｔ）を計測して、ｔが３２０秒の時点で加熱炉（第７ゾーン）から搬出され、ｔが４００秒の時点でワークは加熱炉の入口を起点にして下流に２０００ｍｍの距離を移動する。
設備２、３でもワークは設備１と同様に移動するが、ｔが３２０秒の時点で加熱炉（ゾーン７）から搬出され、ほぼ同時に外部冷却室に搬入される。そしてｔが４００秒の時点で外部冷却室から搬出される。
【００３８】
そこで、設定Ａ、Ｂについて、加熱炉から搬出されたワークの温度を測定して、以下に定義される温度勾配ＴＳを求めた。
温度勾配ＴＳ＝（ＴＩ−ＴＯ）／８０
ＴＩ：経過した時間ｔが３２０秒である時点でのワーク温度
ＴＯ：経過した時間ｔが４００秒である時点のワーク温度
ワークの温度は、ワークに埋め込んだ熱電対により測定し、図２に示すようにワークの中心を測定ポイントとした。
【００３９】
また、上記のワークの温度を測定している時間（３２０〜４００秒）において、第６ゾーンの雰囲気における酸素濃度を測定した。
設定Ａでのワークの温度推移および第６ゾーンでの酸素濃度推移を、設備１〜３について図４〜図６にそれぞれ示した。
同様に、設定Ｂでのワークの温度推移および第６ゾーンでの酸素濃度の推移を設備１〜３について図７〜図９にそれぞれ示した。
なお、図４〜９において、時間ｔが２５０秒前後の数１０秒間において、酸素濃度が変動して１０ｐｐｍ程度低下しているが、これは酸素濃度測定域の第６ゾーンにワークが搬入されたことにより、供給されている窒素ガスの流れがワークに遮られることによるものである。
【００４０】
図４〜図６から以下のことがいえる。
・設定Ａの場合
設備１では、図４から分かるように、加熱炉の酸素濃度は６５ｐｐｍ程度で安定しているものの、温度勾配ＴＳはおよそ−０．５２５℃／秒であり、冷却速度は設備２、３よりも低い。
設備２では、図５から分かるように、加熱炉の酸素濃度は温度勾配ＴＳがおよそ−１．２℃／秒であり、設備１に比べ冷却速度が２倍以上であるものの、酸素濃度が後半の時間帯で大きく上昇して変動し、２００ｐｐｍを超える時間帯が存在する。
設備３では、図６から分かるように、温度勾配ＴＳはおよそ−１．１８℃／秒となり、冷却速度は設備１に比べ２倍以上であり、設備２の場合と同程度である。しかも酸素濃度も６５ｐｐｍ程度で安定しており、設備１と同程度である。
【００４１】
図７〜図９から以下のことがいえる。
・設定Ｂの場合
設備１では、図７から分かるように、酸素濃度が７０ｐｐｍ程度で非常に安定しているものの、温度勾配ＴＳは−０．７３℃／秒であり、冷却速度は設備２、３よりも低い。
設備２では、図８から分かるように、ＴＳが−１．５℃／秒であり、冷却速度は、設備１と比べて、２倍以上であるものの、酸素濃度が後半の時間帯で大きく上昇して変動し、１８０ｐｐｍを超える時間帯が存在する。
設備３では、図９から分かるように、温度勾配ＴＳは−１．６２℃／秒となり、冷却速度は設備１〜３の中でもっとも高く、しかも酸素濃度も６０〜７０ｐｐｍ程度でおおむね安定しており、設備１と同程度である。
【００４２】
以上のことから、加熱炉の出側に外部冷却室を併設すると、加熱炉から搬出されたワークを、設備１による放冷よりも倍近くの冷却速度で冷却することができるが、設備２に使用される外部冷却室では、吸引エアカーテンノズルを備えていないために、加熱炉本体の雰囲気の酸素濃度が変動して大きく上昇することが分かる。
このように、設備１では、短時間に十分な冷却が行うことができず、また設備２では、冷却速度は設備１よりも大きいが、第６ゾーンの酸素濃度が上昇しているため、ワークの半田付け部の半田が酸化して劣化し外観が悪くなるなどの、半田付け製品の品質低下が懸念される。
【００４３】
これに対して、設備３に使用される外部冷却室では、吸引エアカーテンノズルを備えることにより、大気中での放冷よりも倍近くの冷却速度で冷却することができ、かつ酸素濃度を予め設定した所定の低酸素濃度に安定して維持することができる。このため、半田付け製品の品質低下を発生させることなく、短時間に十分な冷却が行うことができる。
【産業上の利用可能性】
【００４４】
本発明によれば、リフロー半田付け装置の加熱炉出口側に、吸引エアカーテンノズルをワーク入口側に設けた外部冷却室を設けることで、半田付け製品のワークを短時間で十分に冷却することができ、しかも加熱炉本体の雰囲気の酸素濃度を低濃度に安定して維持することができる。
このため、加熱炉を長大化する改造を行う必要がなく、ワークの品質を低下させることなく、ワークを十分に冷却することができ、低コストで生産性を上げることができる。また、酸素濃度を所定以下に維持するためにＮ２ガスなどの不活性ガスを従来よりも多く消費することなく、半田付け製品の品質を良好なものに維持することができる。
このように、本発明は産業上の利用可能性を有するものである。
【符号の説明】
【００４５】
１  ワーク（半田付け対象物）
２  搬送コンベア
３  加熱炉
３１  予熱ゾーン
３２  中間加熱ゾーン
３３  リフロー加熱ゾーン
３４  冷却ゾーン
４  （上部、下部）ヒーター
５  （上部、下部）ファン
６  窒素ガス供給源
７  外部冷却室
８  搬送コンベア
９  ファン
１０  吸引エアカーテンノズル
１０１  ブロア
１０２  配管
【図１】
2013251332.tif 000005
【図２】
2013251332.tif 000006
【図３】
2013251332.tif 000007
【図４】
2013251332.tif 000008
【図５】
2013251332.tif 000009
【図６】
2013251332.tif 000010
【図７】
2013251332.tif 000011
【図８】
2013251332.tif 000012
【図９】
2013251332.tif 000013